(57)【要約】【課題】製造が容易ながらシール性能に優れ、容器本体内へ外部の流体が流入することを安定的にかつ確実に防止することができる注出キャップ及び該注出キャップを備える注出容器を提供する。【解決手段】弁孔３３を有し容器本体７１の口部７３に取付けられるキャップ本体２１と、吐出口４３を有しキャップ本体２１の上面３４を被覆するフィルム４１とを含み、キャップ本体２１の弁孔３３とフィルム４１の吐出口４３との位置が平面視において重複しないように構成された逆止弁を備える注出キャップ１１において、放射状に張力９１が加わった状態でフィルム４１をキャップ本体２１に被覆することで、フィルム４１の皺の生成を抑制してシール性能を確保し、容器本体７１内に外部の流体８３が流入することを安定的にかつ確実に防止する。【選択図】図１
2014139091.tif 000002
【特許請求の範囲】
【請求項１】
弁孔を有し容器本体の口部に取付けられるキャップ本体と、吐出口を有し前記キャップ本体の上面を被覆するフィルムとを含み、前記キャップ本体の弁孔と前記フィルムの吐出口との位置が平面視において重複しないように構成された逆止弁を備える注出キャップにおいて、
前記フィルムは、皺の生成を抑制すべく放射状に張力が加わった状態で前記キャップ本体の上面を被覆することを特徴とする注出キャップ。
【請求項２】
前記キャップ本体は、前記フィルムの皺の生成を抑制すべく上面がドーム状であり、前記フィルムに加わる張力が前記フィルムを前記キャップ本体の上面に密着させる方向にも働くことを特徴とする請求項１に記載の注出キャップ。
【請求項３】
前記フィルムに加わる張力を保持すべく前記フィルムを前記キャップ本体の上面とで挟持するフィルム押え手段を有することを特徴とする請求項１又は２に記載の注出キャップ。
【請求項４】
前記フィルム押え手段と前記キャップ本体とは、前記フィルムを挟持する面に互いに嵌合する凹凸部を備え、前記凹凸部で前記フィルムを挟持することにより前記フィルムに放射状に張力を加えることを特徴とする請求項３に記載の注出キャップ。
【請求項５】
前記フィルム押え手段は、注出口とフィルム押え部とを備え、前記キャップ本体に取付けられる注出ノズルであることを特徴とする請求項３又は４に記載の注出キャップ。
【請求項６】
請求項１から５のいずれか１項に記載の注出キャップと容器本体とを備える注出容器。
【請求項７】
空気との接触を嫌う内容物を収容するための請求項６に記載の注出容器。
【発明の詳細な説明】
【技術分野】
【０００１】
本発明は、容器本体の口部に装着し使用する、容器本体内に外部の流体が流入することを防止する逆止弁を備える注出キャップ及び注出キャップを備える注出容器に関する。
【背景技術】
【０００２】
醤油のような液体の注出容器として、液体を酸化させることなく収容するセルフシール逆止ノズルを備えるフレキシブル包装袋が開発されている。このセルフシール逆止ノズルは、一対のプラスチックフィルムを対面させ、液体を介在させ毛管作用によりプラスチックフィルムを密着させることで外気の侵入を防止する（例えば特許文献１参照）。
【０００３】
同様に、液体を収容する容器本体への外気の侵入を防止しつつ、収容する液体を注出可能な容器として、平面視において互いに重複しない位置に弁孔を有する２枚の薄膜状の弁体を重ねて構成される逆止弁を備えた注出容器も開発されている（例えば特許文献２、３参照）。
【先行技術文献】
【特許文献】
【０００４】
【特許文献１】特開２０１１−１４８５３８号公報
【特許文献２】特開２０１１−１１１２０２号公報
【特許文献３】特開２０１１−１１６３７８号公報
【発明の概要】
【発明が解決しようとする課題】
【０００５】
特許文献１から３に代表されるような薄膜体で逆止弁を構成する場合、外気の侵入を防止する上で薄膜体の密着性が重要である。特許文献１のセルフシール逆止ノズルの場合、ノズルを形成する２枚のプラスチックフィルム相互間の密着性を高めるために濡れ処理層を設ける必要があり、コスト的に不利である。
【０００６】
特許文献２、３の弁体の場合、弾性を有する弁体同士が互いに重なることで密着性を確保しているが、注出時には液圧で互いに分離される必要があり、密着性と分離性とをうまく両立させる材料の選定に試行錯誤が必要である。また片方の弁体に剛性板を使用する場合、弁体同士がきれいに重ならずに皺が生成し逆止弁のシール不良を招く恐れがある。
【０００７】
本発明の目的は、製造が容易ながらシール性能に優れ、容器本体内へ外部の流体が流入することを安定的にかつ確実に防止することができる注出キャップ及び該注出キャップを備える注出容器を提供することである。
【課題を解決するための手段】
【０００８】
本発明は、弁孔を有し容器本体の口部に取付けられるキャップ本体と、吐出口を有し前記キャップ本体の上面を被覆するフィルムとを含み、前記キャップ本体の弁孔と前記フィルムの吐出口との位置が平面視において重複しないように構成された逆止弁を備える注出キャップにおいて、前記フィルムは、皺の生成を抑制すべく放射状に張力が加わった状態で前記キャップ本体の上面を被覆することを特徴とする注出キャップである。
【０００９】
弁孔を有し容器本体の口部に取付けられるキャップ本体と、吐出口を有し前記キャップ本体の上面を被覆するフィルムとで構成される逆止弁においてシール不良を防止するためには、フィルムにできる皺の抑制が非常に重要である。本発明によれば、フィルムは、放射状に張力が加わった状態でキャップ本体の上面を被覆しているので、皺が出来難い。このような逆止弁を備える注出キャップは、容器本体内に外部の流体が流入することを安定的にかつ確実に防止することができる。
【００１０】
また本発明において、前記キャップ本体は、前記フィルムの皺の生成を抑制すべく上面がドーム状であり、前記フィルムに加わる張力が前記フィルムを前記キャップ本体の上面に密着させる方向にも働くことを特徴とする。
【００１１】
本発明によれば、フィルムに加わる張力がフィルムをキャップ本体に密着させる方向にも働くので、キャップ本体の上面を被覆する際のフィルムの皺の生成を容易に抑制することができると共に、フィルムとキャップ本体の上面との密着性を高めることができる。また使用中も同様に張力が働くので、容器本体内に外部の流体が流入することをより確実に防止することができる。
【００１２】
また本発明において、前記フィルムに加わる張力を保持すべく前記フィルムを前記キャップ本体とで挟持するフィルム押え手段を有することを特徴とする。
【００１３】
本発明によれば、フィルムに加わる張力を保持するフィルム押え手段を有するので、フィルムの張力を確実に保持し、フィルムの皺の生成を抑制することができる。
【００１４】
また本発明において、前記フィルム押え手段と前記キャップ本体とは、前記フィルムを挟持する面に互いに嵌合する凹凸部を備え、前記凹凸部で前記フィルムを挟持することにより前記フィルムに放射状に張力を加えることを特徴とする。
【００１５】
本発明によれば、キャップ本体とフィルム押え手段とは、凹凸部がフィルムに放射状に張力を加えながら嵌合するので、フィルムの皺の生成を容易に抑制することができる。またフィルムに加わる張力の保持を凹凸部によって強化することができる。
【００１６】
また本発明において、前記フィルム押え手段は、注出口とフィルム押え部とを備え、前記キャップ本体に取付けられる注出ノズルであることを特徴とする。
【００１７】
本発明によれば、注出ノズルがフィルム押え手段を有するので部品点数を少なくすることができ、組立を容易に行うことができる。
【００１８】
また本発明は、前記注出キャップと容器本体とを備える注出容器である。
【００１９】
また本発明の注出容器は、空気との接触を嫌う内容物を収容するための注出容器である。
【００２０】
本発明の注出容器は、シール性能に優れる逆止弁を備え、容器本体内へ容器外部の流体が流入することを確実に防止することができるので、空気との接触を嫌う内容物を収容する注出容器として好適に使用することができる。
【発明の効果】
【００２１】
本発明の注出キャップは、製造が容易ながらシール性能に優れる逆止弁を備えるので、容器本体内へ容器外部の流体が流入することを安定的にかつ確実に防止することができる。このような注出キャップを備える注出容器は、空気との接触を嫌う染毛剤、化粧料の注出容器、醤油差し等に好適に使用することができる。
【図面の簡単な説明】
【００２２】
【図１】本発明の第１実施形態の注出容器１の要部断面図である。
【図２】図１の注出キャップ１１の平面視におけるキャップ本体２１とフィルム４１との位置関係を示す図である。
【図３】図１の注出容器１の注出時の状態を示す要部断面図である。
【図４】本発明の第２実施形態の注出容器２の要部断面図である。
【図５】本発明の第３実施形態の注出容器３の要部断面図である。
【図６】本発明の第４実施形態の注出容器４の要部断面図である。
【図７】本発明の第５実施形態の注出容器５の要部断面図である。
【図８】図７の注出キャップ１５の注出ノズル５２を外した状態の平面図である。
【図９】図７の注出キャップ１５を装着し使用する蛇腹構造の容器本体７２の半断面図である。
【図１０】本発明のユニット状の逆止弁１７の正面視における断面図である。
【発明を実施するための形態】
【００２３】
図１は、本発明の第１実施形態の注出容器１の要部断面図である。図２は、図１の注出キャップ１１の平面視におけるキャップ本体２１とフィルム４１との位置関係を示す図である。図３は、図１の注出容器１の注出時の状態を示す要部断面図である。
【００２４】
注出容器１は、逆止弁付きの容器であり、内容物を収容する容器本体７１と、容器本体７１の口部７３に装着された逆止弁を備える注出キャップ１１とからなる。注出キャップ１１は、キャップ本体２１とフィルム４１とからなり、キャップ本体２１の上面３４をフィルム４１で被覆して形成される逆止弁を備えている。本発明は、逆止弁のシール不良の原因となるフィルム４１の皺の生成を抑制し、逆止弁のシール性能を安定的に確保することを特徴とする。
【００２５】
容器本体７１は、ペットボトル容器などで見られるような丸味を帯びた肩部の先端に口部７３が設けられている。口部７３の外周面には、通常の液体注出容器と同様に、キャップ本体２１が螺合する雄ねじ７５が設けられている。ここでは、肩部の先端に口部７３が設けられた容器を示したが、内容物に応じた容器本体を使用することが可能であり、形状、構造も特定のものに限定されるものではない。容器本体７１は、例えば市販のペットボトル容器、液体紙容器、パウチ容器、ラミネートチューブのようなチューブ状容器又は金属箔包装容器等であってもよい。
【００２６】
また本件出願人が出願した特願２０１２−１０１９４０に記載の形状復元性により容器本体内が強制的に減圧となる、例えば図９に示すような蛇腹を備える容器本体７２、さらには特開２０１１−２３０８４０号公報に記載のような２重構造の容器本体（図示省略）など幅広い容器に使用することができる。
【００２７】
容器本体７１の材質も特定のものに限定されるものではない。収容する内容物によっては、熱安定性、紫外線による劣化防止、帯電防止等が要求される。このような場合には、適宜、要求される仕様に適した材料を使用して容器本体を形成すればよい。
【００２８】
容器本体７１内に収容可能な内容物８１は、特定の内容物に限定されるものではなく、注出容器１は、幅広く内容物を収容し注出することができる。内容物８１としては、醤油などのような比較的粘度の低い液体、マヨネーズのような粘性流体、サンプリングガスなどの気体、小麦粉のような粉粒体、スラリー溶液、液体中に固形分が浮遊する懸濁溶液などが例示される。
【００２９】
注出キャップ１１は、容器本体７１の口部７３に装着され、容器本体７１内に収容される内容物８１を注出すると共に、注出容器１の外部の流体８３が容器本体７１内に流入することを防止する。注出キャップ１１は、弁孔３３を有するキャップ本体２１と、吐出口４３を有するフィルム４１とからなり、弁孔３３と吐出口４３とが互いに重複しないようにキャップ本体２１の上面３４をフィルム４１で被覆し、フィルム４１の周縁部４４をキャップ本体２１の上面３４に溶着して形成される逆止弁を備える。
【００３０】
キャップ本体２１は、有頂円筒形状であり、材質は特に限定されるものではなく、例えば合成樹脂、金属、それらの複合材、又は蒸着、塗布、メッキ、金属箔等により合成樹脂の表面に金属を付着させたもの等を用いることができる。
【００３１】
キャップ本体２１は、注出キャップ１１を容器本体７１の口部７３に装着する機能を有し、円筒部３７の内側面には、雌ねじ３８が設けられ、容器本体７１の口部７３の雄ねじ７５と螺合する。キャップ本体２１の天井面３９は、螺合時に容器本体７１の口部７３の先端面と当接して、該当接箇所をシール可能に形状や平面度等が適宜決められる。
【００３２】
キャップ本体２１は、逆止弁の弁体としても機能し、頂部３１には内容物８１を導入する弁孔３３が穿設されている。弁孔３３は、円孔であり、キャップ本体２１の上面３４の中心から離れた位置に４箇所、９０度おきに穿設されている。なお弁孔３３の穿設位置、数は、これに限定されるものではなく、少なくともフィルム４１の吐出口４３と平面視において重複しないように穿設される。
【００３３】
フィルム４１は、薄膜状で弾性を有しており、例えば合成樹脂製のストレッチフィルムを用いることができる。フィルム４１の材質は、特定の材質に限定されるものではなく、例えば薄膜の金属フィルム等を用いてもよい。フィルム４１の中心には、内容物８１を注出する円孔の吐出口４３が穿設されている。
【００３４】
フィルム４１は、キャップ本体２１の上面３４を被覆し、皺が生成されないように放射状に均一に張力９１を加えられながら、周縁部４４においてキャップ本体２１の上面３４に熱溶着等で溶着される。フィルム４１は、周縁部４４から内容物８１が漏出しないように全周が溶着される。
【００３５】
注出キャップ１１は、例えば、放射状に均一に張力９１が加わった状態のシート状のストレッチフィルム（図示省略）にキャップ本体２１の上面３４を当接させ、ストレッチフィルムの上から周縁部４４と同一の形状をした溶着治具（図示省略）を当接させ、ストレッチフィルムをキャップ本体２１の上面３４に熱溶着した後、ストレッチフィルムをキャップ本体２１の上面３４の外径に沿って裁断する方法で製造される。なお製造方法は、これに限定されるものではない。
【００３６】
次に注出容器１を酸化防止用の醤油差しとして使用する場合を例として、使用方法を例示する。可撓性を有する容器本体７１内に醤油を収容した後に、注出キャップ１１を装着し、注出容器１を上向きとしたまま容器本体７１を収縮させる。容器本体７１を収縮させると容器本体７１内が加圧され、フィルム４１が浮き上がり、キャップ本体２１の上面３４との間に隙間４５が形成され、容器本体７１内に残存する空気が排出される。これにより容器本体７１内は醤油で満たされ、注出キャップ１１により空気の侵入が防止されるので、醤油が酸化することはない。
【００３７】
醤油を注出するときは、注出容器１を下向きに傾ければ弁孔３３から醤油が流れ込み、醤油の液圧によりフィルム４１が浮き上がり、隙間４５が形成されることで開弁し、吐出口４３から醤油が注出される。
【００３８】
醤油が残り少なくなり、容器本体７１内の負圧によるフィルム４１の密着力、及び隙間４５に介在する醤油の毛管吸引力によるフィルム４１の密着力よりも液圧が小さい場合は、容器本体７１を収縮させて内圧を加えることでフィルム４１を浮き上がらせ、醤油を注出することができる。内容物８１が気体の場合も同様である。
【００３９】
注出キャップ１１を上向きに戻すと、容器本体７１内の負圧と、隙間４５内に介在する醤油の毛管吸引力とによりフィルム４１がキャップ本体２１の上面３４に素早く密着して閉弁される。またフィルム４１には、放射状に張力９１が働いているため閉弁の際にも皺が生成され難く、シール性能が高い。このため閉弁後、容器本体７１内に空気が入り込むことはない。
【００４０】
以上のように第１実施形態の注出容器１の最大の特徴は、放射状に均一に張力９１が加わった状態でフィルム４１がキャップ本体上面３４を被覆して溶着されることで、フィルム４１の皺の生成が抑制され、逆止弁の閉弁を安定的にかつ確実に行うことができる点である。
【００４１】
第１実施形態の注出容器１を液体の注出容器として使用すると、フィルム４１とキャップ本体上面３４との隙間４５に液体が入り込むことで毛管吸引力が働き、シール性能が高まることは既に説明した通りであるが、注出キャップ１１の構成により毛管吸引力が働かなくても逆止弁のシール性能は高い。よって、液体のみならず気体、粉体を収容する酸化防止用容器として好適に使用することができる。
【００４２】
図４は、本発明の第２実施形態の注出容器２の要部断面図である。図１に示す第１実施形態の注出容器１と同一の構成には同一の符号を付して説明を省略する。第２実施形態の注出容器２は、第１実施形態の注出容器１と同様に逆止弁付きの容器であり、基本的構成は注出容器１と同じであるが、注出キャップ１２のキャップ本体２２の頂部３２の形状が異なる。
【００４３】
第２実施形態のキャップ本体２２の頂部３２は、上面３４がドーム状である。このためフィルム４１に加えられた張力９１が、半径方向のみならずフィルム４１をキャップ本体２２の上面３４に密着させる方向にも働く。これによりフィルム４１とキャップ本体２２の上面３４との密着性が向上し、シール性能を向上させることができる。なお、弁孔３３、吐出孔４３の位置等は、第１実施形態の注出キャップ１１と同様に考えることができる。
【００４４】
また注出キャップ１２の製造時には、キャップ本体２２の上面３４をストレッチフィルムに当接させるだけで放射状に均一に張力９１が働き、さらに張力９１がストレッチフィルムをキャップ本体２２の上面３４に密着させる方向にも働くので、容易にかつ確実にストレッチフィルムをキャップ本体２２の上面３４に皺の生成を抑制した状態で溶着することができる。
【００４５】
図５は、本発明の第３実施形態の注出容器３の要部断面図である。図１に示す第１実施形態の注出容器１と同一の構成には同一の符号を付して説明を省略する。第３実施形態の注出容器３は、第１実施形態の注出容器１と基本的構成は同様であるが、フィルム押え手段としてリング５０が付加されている。
【００４６】
リング５０は、直径がキャップ本体２１の直径よりも小さいリング状の平板であり、弁孔３３及び吐出孔４３を含むように内径の大きさが決められる。リング５０の材質は、キャップ本体２１と同様、用途に応じて適宜決めればよい。またリング５０の形状は、円形に限定されるものではなく、例えば矩形等でもよいが、フィルム４１に放射状に均一に張力が加わるように円形が好ましい。
【００４７】
第３実施形態の注出容器３の注出キャップ１３は、例えば、放射状に均一に張力９１が加わった状態のシート状のストレッチフィルム（図示省略）にキャップ本体２１の上面３４を当接させ、ストレッチフィルムの上からリング５０を当接させ、振動溶着でリング５０及びストレッチフィルムをキャップ本体２１の上面３４に溶着した後、ストレッチフィルムをキャップ本体２１の上面３４の外径に沿って裁断する方法で製造される。なお製造方法は、これに限定されるものではない。
【００４８】
第３実施形態の注出容器３の注出キャップ１３では、リング５０でフィルム４１を押えることでフィルム４１に加わる張力９１が保持されるので、より確実にフィルム４１の皺の生成を抑制することができる。
【００４９】
図６は、本発明の第４実施形態の注出容器４の要部断面図である。図４に示す第２実施形態の注出容器２と同一の構成には同一の符号を付して説明を省略する。第４実施形態の注出容器４は、第２実施形態の注出容器２と基本的構成は同様であるが、注出キャップ１４に注出ノズル５１が備えられている。
【００５０】
注出ノズル５１は、キャップ本体２２と同様、有頂円筒形状であり、材質もキャップ本体２２と同様に適宜決めればよい。注出ノズル５１は、頂部に突出する形で設けられ内容物８１が注出される注出口５３と、フィルム押え手段として天井面５７の周縁部に形成されるフィルム押え部５４と、円筒部５８の下端に形成されてキャップ本体２２の円筒部３７の下端に係合する突起５９とを備え、突起５９によってキャップ本体２２に係合され、吐出口４３から吐出された内容物８１を注出口５３から注出する。
【００５１】
フィルム押え部５４は、キャップ本体２２の上面３４とでフィルム４１を挟持し、フィルム４１に加わる張力９１を保持する。
【００５２】
また注出ノズル５１には、ヒンジ６１を介して蓋体６２が連結されている。蓋体６２は、注出容器４を使用しないとき注出口５３を覆う部材であり、蓋体６２の一端部に設けられた凹部６３が注出ノズル５１に設けられた凸部６０に係止することで閉じる。蓋体６２を閉めておくことで、注出容器４が転倒しても内容物８１の排出を防止することができる。蓋体６２の形状、開閉機構は、本実施形態に限定されるものではなく、例えばスライドして開閉する蓋体等、幅広い蓋体、開閉機構を使用することができる。なお蓋体６２は、必要に応じて適宜用いればよく、なくてもよい。
【００５３】
第４実施形態の注出容器４では、第２実施形態の注出容器２と同様にしてキャップ本体２２にフィルム４１を溶着した後に、注出ノズル５１をキャップ本体２２に係合させる。このとき注出ノズル５１のフィルム押え部５４がフィルム４１を押え、フィルム４１に加わる張力９１を保持し、フィルム４１の皺の生成を抑制する。
【００５４】
図７は、本発明の第５実施形態の注出容器５の要部断面図である。図８は、図７の注出キャップ１５の注出ノズル５２を外した状態の平面図である。図９は、図７の注出キャップ１５を装着し使用する蛇腹構造の容器本体７２の半断面図である。図６に示す第４実施形態の注出容器４と同一の構成には同一の符号を付して説明を省略する。第５実施形態の注出容器５は、第４実施形態の注出容器４と基本的構成は同じであるが、キャップ本体２３の頂部３５及び注出ノズル５２のフィルム押え部５５の形状が異なる。
【００５５】
第５実施形態の注出容器５の注出キャップ１５では、キャップ本体２３の頂部３５の上面３４及び注出ノズル５２のフィルム押え部５５に互いに嵌合する凹部３６及び凸部５６が設けられている。
【００５６】
キャップ本体２３の凹部３６と注出ノズル５２の凸部５６とは、それぞれ全周に亘って設けられており、互いに嵌合する際、凸部５６がフィルム４１を押し込み、フィルム４１に放射状に均一に張力９１を加えながら嵌合する。
【００５７】
このように第５実施形態の注出容器５の注出キャップ１５は、嵌合時にはフィルム押え部５５の凸部５６がフィルム４１に放射状に均一に張力９１を加えながらキャップ本体２３の凹部３６に嵌合し、嵌合後にはフィルム押え部５５がフィルム４１に加わる張力９１を保持するので、フィルム４１をキャップ本体２３の上面３４に溶着することなくフィルム４１の皺の生成を抑制した状態で容易に組立てることができる。なおフィルム４１は、キャップ本体２３の上面３４にあらかじめ溶着されていてもよい。
【００５８】
また容器本体内が減圧となる容器本体、特に容器本体内が大きく減圧する容器は、外気が侵入し易いが、本発明の注出キャップの逆止弁は、閉弁の信頼性が高いのでこのような容器に好適に使用することができる。容器本体内が大きく減圧する容器としては、本件出願人が特許出願した容器（特願２０１２−１０１９４０）が該当し、代表的には、図９に示すように蛇腹構造の胴部７７を有する容器本体７２である。図９において、図７の注出容器５と同一の部材には同一の符号を付している。なお容器本体内が大きく減圧する他の容器については、特願２０１２−１０１９４０参照のこと。
【００５９】
図９に示す蛇腹構造の容器本体７２は、容器本体７２内を液で充満させた後、容器本体７２を加圧し液を注出し、その後に加圧を停止すると、蛇腹構造がスプリングとして機能するため加圧していない当初の状態に素早く復帰しようとし、通常の容器に比較して容器本体７２内が大きく減圧となる。容器本体７２内の圧力が低いほど容器本体７２内に外部流体８３が侵入し易いが、この逆止弁は、シール性能が高いのでこのような容器であっても外気の侵入を十分に防止することができる。
【００６０】
以上第１から第５実施形態の注出容器１から５を用いて、本発明の注出キャップ及び注出容器を説明したが、本発明の注出キャップ及び注出容器は、上記実施形態に限定されるものではなく、要旨を変更しない範囲で変形して使用することができる。キャップ本体とフィルムとは、円形に限定されるものではなく、例えば矩形や三角形等、任意の形状でよい。
【００６１】
弁孔及び吐出口は、円孔に限定されるものではなく、例えばスリット孔等でもよく、その数についても特に限定されるものではないが、フィルムに皺を生成させないためには、フィルムに加わる応力の偏りがない状態が好ましく、キャップ本体の上面は可能な限り平坦であり、大きな凹部がない状態が好ましい。よって弁孔は、できるだけ直径の小さい弁孔を設けることが好ましい。また吐出口の形状を円孔とすれば、吐出口に均一に張力が加わり破損し難く、好ましい。
【００６２】
キャップ本体の弁孔、フィルムの吐出口、及び注出ノズルの注出口のそれぞれの位置関係は、特定の位置に限定されるものではなく、少なくとも弁孔と吐出口とが重複していなければよい。
【００６３】
フィルムとキャップ本体の上面とは、熱溶着等で溶着したが、これに限定されるものではなく、接着剤等を用いて接着してもよい。リング５０についても同様である。
【００６４】
第３実施形態の注出容器３において、リング５０は溶着したが、第５実施形態の注出容器５のキャップ本体２３の凹部３６及びフィルム押え部５５の凸部５６のように、キャップ本体２１の上面３４とリング５０の下面とに互いに嵌合する凹凸部（図示省略）を設けて嵌合させてもよい。
【００６５】
キャップ本体の天井面と容器本体の口部の先端面、又はフィルムの上面と注出ノズルのフィルム押え部との気密性を確保するために、これらの間にパッキン、Ｏリング、その他圧縮時に気密性を発揮するパッキン相当部材（図示省略）を装着させてもよく、又はキャップ本体の天井面、容器本体口部の先端面及びフィルム押え部にパッキン相当部材をあらかじめ接着させてもよく、さらには少なくとも一方に突起やテーパー等を設けて全周を確実に線当たりさせて気密を高めるようにしてもよい。またキャップ本体及び／又は容器本体の口部の材質の一部又は全部が圧縮時に気密性を発揮する材質であってもよい。
【００６６】
キャップ本体と容器本体とは、螺合により連結したが、螺合に限定されるものではなく、例えばスナップフィットのように互いに係合する凹凸部、爪、その他の係止手段を設けて係合させてもよく、キャップ本体と容器本体とが接着されていてもよい。
【００６７】
キャップ本体と注出ノズルとの連結についても同様に、係合に限定されるものではなく、例えば接着されていてもよい。
【００６８】
さらに上記実施形態では、逆止弁を備える注出キャップを容器本体の口部に装着し使用するタイプの注出容器を示したが、本発明の注出キャップ及び注出容器は、注出キャップが容器本体に着脱不能に一体的に設けられた注出キャップ及び注出容器にも適用することができる。
【００６９】
また本発明の注出キャップは、図１０に示すようにキャップ本体に代えて板状の基台２７を用い、注出容器に装着又は接着して使用するユニット状の逆止弁１７として使用することもできる。ユニット状の逆止弁１７として使用する際には、例えば注出容器のキャップ（図示省略）と容器本体の口部とで基台２７を挟持して装着すればよい。このとき基台２７の装着箇所２８を除いた領域にフィルム４１を接着しておけば、装着時のフィルム４１の噛み込みによる変形又は損傷を防止することができる。なお装着時のフィルム４１の噛み込みを防止する手段は、これに限定されるものではなく、例えば第３実施形態で用いたリング５０でキャップの装着箇所を受けるようにしてもよい。
【符号の説明】
【００７０】
１、２、３、４、５            注出容器
１１、１２、１３、１４、１５  注出キャップ
２１、２２、２３              キャップ本体
３３                          弁孔
３４                          （キャップ本体）上面
３６                          凹部
４１                          フィルム
４３                          吐出口
５０                          リング
５１、５２                    注出ノズル
５３                          注出口
５４、５５                    フィルム押え部
５６                          凸部
７１、７２                    容器本体
７３                          口部
８１                          内容物
８３                          外部の流体
９１                          張力
【図１】
2014139091.tif 000003
【図２】
2014139091.tif 000004
【図３】
2014139091.tif 000005
【図４】
2014139091.tif 000006
【図５】
2014139091.tif 000007
【図６】
2014139091.tif 000008
【図７】
2014139091.tif 000009
【図８】
2014139091.tif 000010
【図９】
2014139091.tif 000011
【図１０】
2014139091.tif 000012